Podtech/llm-jp-corpus-v4-ja_patent huggingface dataset:
(57)【要約】【課題】従来のチューブは環境を配慮としない大量生産による効率だけを追い求めて造られてきた感がある。その結果自然破壊は著しく温暖化に繋がっているように考えられ、たかがチューブ位と若い頃は鉛白やカドミュウム絵具の付着した使用済みを不燃物で廃棄した時期が今としては悔やまれもする。今日世界の中で３６５日、いったい一年でどれ程消費され地球環境に悪影響を及ぼしているのであろうか。【解決手段】本発明の和紙チューブは、環境に悪影響を及ぼさない素材で造られ、廃棄する際も悪影響を及ぼさないポリ塩化ビニリデンは酸素透過係数１００〜８３０、透湿係数７９〜２５０と低く、２重にすることでより低く抑えられる。ちなみにポリプロビンは酸素透過係数７９０００透湿係数２６００この差が商品の保存期間に結び廃棄される数量も大きく改善され結果として地球環境にも貢献できる。【選択図】なし【特許請求の範囲】
【請求項１】
金属、ポリエチレンに代わるポリ塩化ビニリデンと和紙にビニルアセタートを含ませた合体製造法
【請求項２】
ポリ塩化ビニリデン及び、和紙にビニルアセタートを含ませた和紙ビニルアセタートを結合する際の口元ネジ製造法式。
【発明の詳細な説明】
【技術分野】
【０００１】本発明は、絵具、歯磨き等工業用、ジャム、ワサビ等食用、軟膏、クリーム等薬品、化粧品用チューブに関する。【０００２】従来地球環境に問題のある金属チューブと、酸素透過係数と透湿係数の高いポリエチレンが主流である。例えば油絵具、歯磨き、薬用軟膏チューブ等。
【発明の概要】
【発明が解決しようとする課題】
【０００３】環境に問題のある金属チューブと長期保存に問題のあるポリエチレンチューブに代わりうる例えば、地球環境と長期保存に優れたチューブを提供。【０００４】本発明は従来の燃えない金属チューブと酸素透過係数の高いポリエチレンチューブにと異なる環境に適した、保存に優れたチューブを目的としたものである。
【課題を解決するための手段】
【０００５】本発明は燃えない金属チューブと保存に難点なポリエチレンに代わり酸素透過係数と透湿係数の低いポリ塩化ビニリデンに着目した。【０００６】とは言ってもポリ塩化ビニリデン単独での使用は不可能。そこで日本古来よりの和紙をビニルアセタートと組み合わせ合体させることで解決できることを突き止めたのである。
【発明の効果】
【０００７】上述べしたように本発明の和紙チューブはポリ塩化ビニリデンと和紙ビニルアセタートを合体することで地球環境に害を及ぼさない長期保存を可能にできること。
【図面の簡単な説明】
【０００８】
【図１】チューブの口にあたるプラスチック、又は金属を挿入設定
【図２】チューブの型
【図３】チューブの口にあたる全体図
【図４】口元正面
【図５】口元正面の下
【図６】和紙チューブの全体図
【図７】和紙チューブの断面図
【発明を実施するための形態】
【０００９】以下、本発明の実施形態を図１〜図７に基ついて説明する。
【００１０】１はポリ塩化ビニリデンとビニルアセタートを含ませた和紙を糸で接合するところで３ミリの長さを有する。
【００１１】２は和紙チューブの外観でビニルアセタートを含んだ和紙
【００１２】３は２重に巻いたポリ塩化ビニリデン
【００１３】４は特殊厚紙、又プラスチック。蓋を開け閉めするネジ式は回す力が加わるため硬さが要求される。
【図１】
2016124586.tif 000002
【図２】
2016124586.tif 000003
【図３】
2016124586.tif 000004
【図４】
2016124586.tif 000005
【図５】
2016124586.tif 000006
【図６】
2016124586.tif 000007
【図７】
2016124586.tif 000008
(57)【要約】      （修正有）【課題】完全に液だれを防止し、小型で、安価に製造でき、取付が簡単で、瓶からわずかに注ぎ口が見えるだけで外観上も優れている液だれ防止装置を提供する。【解決手段】瓶の口内に挿入して液だれを防止する装置１で円柱２を次のように加工した装置である。円柱の外径は瓶の内径より若干大きくする、円柱の側面にはスリット３を設ける、円柱の一方の円部は液だれを防止できるように急須のような形状とし、もう一端は開放しておく。瓶に、本装置を取り付ける時は、側面にあるスリットを利用して円柱の側面に圧力を加え円柱の直径を減少させ瓶の口に挿入する。直径を減少させられた円柱状の部分が元の大きさに戻ろうとする復元力により本装置は、瓶の内壁に固定される。【選択図】図１
2016124608.tif 000002
【特許請求の範囲】
【請求項１】
瓶の口に速やかにかつ、しっかりと固定するため差し込む本装置の円柱状の側面の一部を切取りスリットを設けた装置。
【発明の詳細な説明】
【技術分野】
【０００１】
本発明は、瓶から液体を排出されるときの液だれを防止する装置に関するものである。
【背景技術】
【０００２】
従来の技術としては、瓶の口に取り付けるタイプの様々な液だれ防止装置が存在している。しかし、大半のものが注ぎ口を覆うタイプのため装置が大きくならざるを得ず、取り付けに手間がかかる、材料費や加工費が高価になり、また、外観上の問題も生じている。
【先行技術文献】
【特許文献】
【０００３】
【特許文献１】特開２００７−３０２２９６号公報
【特許文献２】特開２０１２−１２６４４２号公報
【発明の概要】
【発明が解決しようとする課題】
【０００４】
解決しようとする問題点は、装置を小型化し、材料費と加工費を低減させ、取付が簡易で、外観上も優れた装置にすることである。
【課題を解決するための手段】
【０００５】
本発明は、円柱を次のように加工した装置である。円柱の定義は、「円周の一点を通り円と同一平面上にない直線が、円周上を平行移動するときにできる曲面と、その円およびそれと平行な面によって囲まれる立体」であるが、本装置の場合は、円周については瓶の内径より少し大きいものとする。また、「円周の一点を通り円と同一平面上にない直線が、円周上を平行移動するときにできる曲面」については、直線は円周を完全に一周せず一部が開いたままの曲面である。更に、二つの上下の円に相当する部分は無く、注ぎ口に該当する側には、液体が注いだ時に液だれしないように急須の注ぎ口に見られるような形状に加工した装置である。
【０００６】
瓶に、本装置を取り付ける時は、円柱の側面に圧力を加え円柱の直径を減少させ瓶の口に挿入する。挿入時、液だれ防止用に形状を細工した側は瓶の外側に出るように、細工のない側を瓶の内部に挿入するものとする。直径を減少させられた円柱状の部分が元の大きさに戻ろうとする復元力により本装置は、瓶の内壁にしっかりと装着され液体の流れにより瓶外に押し出されないように工夫されている。
【発明の効果】
【０００７】
瓶内の液体を液だれをを起こさず注ぐことができる。例えば、ワインを瓶からグラスに注ぐ場合に若干の液だれを起こし、ワインの瓶及びテーブル面を汚すことがあるが、本装置を使用することにより完全に液だれを防止できる。従来の液だれ防止装置より、小型で、安価に製造でき、取付が簡単で、瓶からわずかに注ぎ口が見えるだけで外観上も優れている。
【図面の簡単な説明】
【０００８】
【図１】図１は、装置の概略図である。
【図２】図２は、装置を上、横、及び正面から見た図である。
【符号の説明】
【０００９】
１ 液だれ防止部分
２ 円柱部分
３ 瓶の口に挿入する時に円柱の直径を小さくするために設けたスリットの部分
【図１】
2016124608.tif 000003
【図２】
2016124608.tif 000004
(57)【要約】【課題】患者（造血幹細胞移植を受けるもの）とＨＬＡ（白血球型抗原）の型が一致しない任意のドナー（骨髄提供者）の造血幹細胞を用いても，ＨＬＡの型を患者と同じ型に変えて培養し造血幹細胞移植を行う方法を提供する。【解決の手段】ドナーの造血幹細胞から細胞核を取り除き患者の細胞核を移植して培養することを特徴とする。このときの患者の細胞核は，患者本人の細胞の細胞核であれば基本的にどこの部位の細胞のものでもかまわない。【特許請求の範囲】
【請求項１】
ドナー（骨髄提供者）の造血幹細胞から細胞核を取り除き，患者（造血幹細胞移植を受ける者）の細胞核を，細胞核を取り除いたドナーの造血幹細胞に移植して培養をし，そして，その培養した造血幹細胞を患者に移植することを特徴とする造血幹細胞移植の方法。
【発明の詳細な説明】
【技術分野】
【０００１】  本発明はドナー（骨髄提供者）の造血幹細胞に患者（造血幹細胞移植を受ける者）の細胞核を移植して，患者と同じＨＬＡ（白血球型抗原）の型を持つ造血幹細胞を培養して移植を行う方法に関するものである。
【背景技術】
【０００２】  従来，造血幹細胞移植を行うには，患者（造血幹細胞移植を受ける者）とＨＬＡ（白血球型抗原）の型が一致する造血幹細胞を移植する必要があった。
【発明の概要】
【発明が解決しようとする課題】
【０００３】（イ）造血幹細胞移植を受けるにはＨＬＡ（白血球型抗原）の型が一致するドナー（骨髄提供者）をさがす必要があった。
（ロ）造血幹細胞移植後に赤血球の血液型が変わることが多かった。
（ハ）患者とドナーの遺伝子の間に個体差があるために，拒絶反応を起こす可能性があった。
本発明は，以上のような欠点をなくすためになされたものである。
【課題を解決するための手段】
【０００４】  ドナー（骨髄提供者）の造血幹細胞から細胞核を取り除き，患者（造血幹細胞移植を受ける者）の細胞核を，ドナーの細胞核を取り除いた造血幹細胞に移植，培養をして造血幹細胞移植を行う。
本発明は以上の方法によりＨＬＡ（白血球型抗原）の型が患者と一致する造血幹細胞を移植することができるのである。
【発明の効果】
【０００５】（イ）ドナー（骨髄提供者）と患者（造血幹細胞を受ける者）とのＨＬＡ（白血球型抗原）の型が一致する必要はなく，ＨＬＡの型が合わなくてもドナーとなることができる。これによってＨＬＡの型が一致するドナーをさがす必要がなくなる。
（ロ）患者の細胞核を移植して培養された造血幹細胞はＨＬＡ以外の個体差も患者のものと一致するために，赤血球の血液型が変わることはなく，また拒絶反応も軽減される。
【発明を実施するために形態】
【０００６】  以下，本発明の実施をするための形態について説明する。
ドナー（骨髄提供者）の造血幹細胞から細胞核を取り除く。
患者（造血幹細胞移植を受ける者）から細胞核を採取する。
細胞核を取り除いたドナーの造血幹細胞に患者の細胞核を移植して培養する。
本発明は以上のような方法である。
本発明を実施する際に採取する患者の細胞核は患者自身の細胞のものであれば基本的にどこの部位の細胞の細胞核であってもかまわない。但し卵子や精子は使用することはできず，ＤＮＡが変化する免疫細胞や外部の刺激によりＤＮＡが突然変異を起こしやすい表皮細胞の細胞核を使用することはあまり好ましくない。
一度分化した造血幹細胞は酵素などの働きにより造血幹細胞と血液細胞以外の組織細胞に変わることはない。造血幹細胞の細胞核を入れかえても，その造血幹細胞は，取り除かれた細胞核に対しても，新しく入ってきた細胞核に対しても，ＤＮＡの同じ場所からしか遺伝情報を引き出すことができない。よって，造血幹細胞としての機能と構造が壊れることなく，造血幹細胞が持つ個体差のみが新しく入ってきた細胞核の遺伝子の持つ性質に変化するのである。
したがって，ドナーの細胞核を除いた造血幹細胞に患者の他の部位の細胞の細胞核を移植して培養しても，その造血幹細胞は造血幹細胞の機能と構造を壊わすことなく，ＨＬＡの型など患者のＤＮＡの遺伝情報にもとづいた性質（個体差）を持つ造血幹細胞に変わるのである。
但し，この方法は先天的に造血幹細胞に関係するＤＮＡに異常がある場合には実施することができないケースもある。
(57)【要約】【課題】ペットフードを与える場合、ペットの体重に合った食事量を毎日、重量計で量る必要があり手間が掛かった。また、計量カップで量る方法はメーカーによってペットフードの粒の大きさや形状が異なるため密度が異なり食事量にばらつきがあった。  本発明は、簡単正確にペットの食事量をあたえるペットフード供給容器を提供する。【解決手段】円筒容器の底蓋中心に螺旋状溝付き回転軸の下端部を回転自在に設け、螺旋状溝付き回転軸の螺旋状溝部を移動可能にせしめた螺旋状溝嵌合突起を固定した上下動円板を設け、その上下動円板は螺旋状溝付き回転軸が回転すると上下動作し、円筒容器が倒れても内容物がこぼれないように容器蓋を設け、その容器蓋には内容物を平らにならすためにすりきり部を設け、円筒容器の外面にはおおよその内容物量が分かるように補助目盛を設けたことを特徴とするペットフード供給容器。【選択図】図１
2016208954.tif 000002
【特許請求の範囲】
【請求項１】
円筒容器の底蓋の中心に回転軸用の穴を空け、その穴に螺旋状溝付き回転軸の回転軸部を回転自在に設け、その螺旋状溝付き回転軸の下端部に回転用つまみを設け、螺旋状溝付き回転軸の螺旋状溝部を移動可能にせしめた螺旋状溝嵌合突起を固定した上下動円板を設け、その上下動円板は螺旋状溝付き回転軸が一方に回転すると上昇し、他方に回転すると下降するようにするために円筒容器の内面に上下動円板回転防止用突起を設け、円筒容器の内容物が倒しても、こぼれないように容器蓋を設け、その容器蓋には内容物を平らにならすために、すりきり部を設け、円筒容器の外面には、おおよその内容物量が分かるように、補助目盛を設けたペットフード供給容器。
【発明の詳細な説明】
【技術分野】
【０００１】  本発明は、家庭で飼われている犬や猫などのペットフードの供給容器に関するものである。
【背景技術】
【０００２】  従来、ペットフードをあたえる場合、毎日、重量計でペットフードの一日の食事量を量り、ペットにあたえていた。あるいは、計量カップでおおよそのペットフードの一日の食事量を量り、ペットにあたえていた。
【発明の概要】
【発明が解決しようとする課題】
【０００３】  ペットは成長するにつれて体重が増え、ペットフードの食事量も増える。したがって、ペットフードのメーカーの推奨の体重と食事量の関係を参照し、ペットの体重に合った食事量を毎日、重量計で量る必要があり手間が掛かった。また、計量カップで量る方法はメーカーによってペットフードの粒の大きさや形状が異なるため密度が異なり食事量にばらつきがでるという欠点があった。
本発明は、以上の問題点を解決するためになされたものである。
【課題を解決するための手段】
【０００４】  円筒容器の底蓋の中心に回転軸用の穴を空け、その穴に螺旋状溝付き回転軸の回転軸部を回転自在に設け、その螺旋状溝付き回転軸の下端部に回転用つまみを設け、螺旋状溝付き回転軸の螺旋状溝部を移動可能にせしめた螺旋状溝嵌合突起を固定した上下動円板を設け、その上下動円板は螺旋状溝付き回転軸が一方に回転すると上昇し、他方に回転すると下降するようにするために円筒容器の内面に上下動円板回転防止用突起を設け、円筒容器の内容物が倒れても、こぼれないように容器蓋を設け、その容器蓋には内容物を平らにならすために、すりきり部を設け、円筒容器の外面には、おおよその内容物量が分かるように補助目盛を設ける。
以上の構成よりなるペットフード供給容器。
【発明の効果】
【０００５】  ペットフードのメーカーの推奨の体重と食事量の関係を参照し、ペットの体重に合った食事量を体重に変化があった時のみ重量計で量ればよいので手間が省け、かつ、ばらつきがなく食事量を正確にあたえることができる。
【図面の簡単な説明】
【０００６】
【図１】本発明の斜視図
【図２】本発明の供給容器に入れたペットフードを重量計で量っている使用状態を示す斜視図
【図３】本発明の供給容器に入れたペットフードを容器上面まで移動した使用状態を示す斜視図
【発明を実施するための形態】
【０００７】  以下、本発明の実施の形態を図１から図３を用いて説明する。
（イ）円筒容器（１）の底蓋（１ａ）の中心に回転軸用の穴を空け、その穴に螺旋状溝付    き回転軸（３）の回転軸部を回転自在に設ける。
（ロ）螺旋状溝付き回転軸（３）の下端部には回転用つまみ（２）を設ける。
（ハ）螺旋状溝付き回転軸（３）の螺旋状溝部を移動可能にせしめる螺旋状溝嵌合突起（    ４ａ）を固定した上下動円板（４）を設ける。
（ニ）上下動円板（４）は螺旋状溝付き回転軸（３）が一方に回転すると上昇し、他方に    回転すると下降するようにするために円筒容器（１）の内側に上下動円板回転防止用    突起（１ｂ）を設ける。
（ホ）円筒容器（１）の内容物が倒れてもこぼれないように容器蓋（５）を設ける。
（ヘ）容器蓋（５）には内容物を平らにならすために、すりきり部（５ａ）を設ける。
（ト）円筒容器（１）の外面には、おおよその内容物量が分かるようにグラム数を表示し    た補助目盛（１ｃ）を設ける。
本発明は以上のような構造である。
【０００８】  本発明を初回またはペットの体重が変化した時に使用する場合について、図２及び図３を用いて説明する。
まず、ペットの体重を量り、ペットフード（７）のメーカーの推奨の一日の食事量を調べる。食事量が分かったら、回転用つまみ（２）を回し食事量のペットフード（７）が余裕をもって入る位置まで上下動円板（４）を下げて容器の容量を大きくする。別途用意した重量計（６）に円筒容器（１）を載せてスイッチを入れる。この時は円筒容器（１）の重さは計量されず０グラムと表示される。円筒容器（１）の中に一日の食事量を重量計（６）の表示を見ながら入れる。一日の食事量、この時は６０グラムになったらペットフード（７）を入れるのをやめ、重量計（６）から円筒容器（１）を下ろす。ペットフード（７）の上面を見ながら回転用つまみ（２）を回し、上下動円板（４）を上げていく。円筒容器（１）の上面とペットフード（７）の上面が一致したら回転用つまみ（２）を回すのをやめる。ペットフード（７）の表面が平らでない場合は容器蓋（５）に設けられた、すりきり部（５ａ）で平らにする。
本発明をペットの体重に変化がない時に使用する場合について、図３を用いて説明する。食事量に変化はないので、上下動円板（４）の位置は変えずに、円筒容器（１）の上面にくるまでペットフード（７）を入れる。ペットフード（７）の表面が平らでない場合は容器蓋（５）に設けられた、すりきり部（５ａ）で平らにする。
なお、重量計（６）がない場合は円筒容器（１）の外面に表示した補助目盛（１ｃ）で所望の位置に上下動円板（４）を合わせることができる。また、補助目盛（１ｃ）でおおよその目安の重量を知ることができる。
【符号の説明】
【０００９】  １  円筒容器、１ａ  容器底蓋、１ｂ  上下動円板回転防止用突起、１ｃ  補助目盛、  ２  回転用つまみ、３  螺旋状溝付き回転軸、４  上下動円板、
４ａ  螺旋状溝嵌合突起、５  容器蓋、５ａ  すりきり部、
６  重量計、７  ペットフード
【図１】
2016208954.tif 000003
【図２】
2016208954.tif 000004
【図３】
2016208954.tif 000005
(57)【要約】【課題】濃縮エキス抽出で下処理での薬品を不必要としたのである【解決手段】蒸留時間が調整出来るためにエキス濃縮濃度をコントロールする事を可能ならしめたのが特徴とする【選択図】図２
2016208955.tif 000002
【特許請求の範囲】
【請求項１】
蒸留装置によるラッキヨ高濃縮エキス抽出方法
【発明の詳細な説明】
【技術分野】
【０００１】この発明はラッキョを原料に用いて高濃縮エキス抽出するものである
【背景技術】
【０００２】従来の抽出では現在使用が禁止されているアセトン方式や現在の主方式エタノール（２５〜５０％溶液）処理方法はいずれも薬品が用いられているのである
【発明の概要】
【発明が解決しようとする課題】
【０００３】発明が解決する課題は抽出過程で使用されている薬品は全く使用せず水煮沸抽出で抽出残留成分液中水分を徐々に蒸散濃縮するものである
【課題を解決するための手段】
【０００４】（１）蒸留槽（２）冷却槽（３）蒸留水溜槽（４）加熱熱源体（５）蒸留タイマーセット部構成からなるラッキョ蒸留濃縮エキス抽出装置である
【発明の効果】
【０００５】蒸留時間を調整することで不可能だったエキスの濃淡度調整が可能となったのである
【発明を実施するための最良の形態】
【０００６】本発明を実施するための形態について説明する
蒸留槽（１）の中に原料のラッキヨ及び蒸留用水を投入装填し後蒸留時間と濃縮度をタイマーセット後加熱熱源体（４）に通電し蒸留完了後に濃縮抽出されたエキスを取り出すのである
この方法を用いればエキス濃度の調整が安易に可能である
【図面の簡単な説明】
【０００７】
【図１】  本発明の参考全体正面図である
【図２】  本発明蒸留槽断面図である
【図３】  本発明冷却槽の断面図である
【図４】  本発明の蒸留水溜平面図である
【符号の説明】
【０００８】  （１）−１蒸留用水
（１）−２原料入れ金網籠
（１）−３熱源体
（１）−４加熱濃縮空間槽部
（１）−５蒸気溜り槽部
（１）−６籠固定フック
（１）−７取り出しバルブ
（１）−９蒸気移送管
（１）−１０蒸留時間タイマー
（２）−１蒸気移送管
（２）−２電動機
（２）−３冷却フアン
（２）−４冷却フイン付管
（２）−５蒸留水保持槽
（３）−１配管ホール
（３）−２蒸留水取出ドレン
【図１】
2016208955.tif 000003
【図２】
2016208955.tif 000004
【図３】
2016208955.tif 000005
【図４】
2016208955.tif 000006
(57)【要約】【課題】起動するまでの時間を短縮した真空管アンプ装置【解決手段】非金属・鏡面かつ、球体のハウジング（２）に設計することにより、絶妙な位置に配置した真空管（１）の輻射熱（４）を効率よく利用し、円形の開口部（３）により、球体のハウジング内での過度な熱の滞留を低減し、真空管アンプの作動時間を短縮するハウジング構造とする。【選択図】図１
2016208478.tif 000002
【特許請求の範囲】
【請求項１】
内部中空で曲面をもつハウジングと、ハウジングの内部に配置した真空管とを備えた真空管アンプであって、前記真空管が発生する熱を利用し、真空管の起動時間の短縮を図った真空管アンプ装置。
【請求項２】
請求項１記載の真空管アンプにおいて、非金属製であり、金属に比べて熱伝導性が低く、しかもハウジングの内面が鏡面状態になっている真空管アンプ装置。
【請求項３】
請求項１または請求項２の真空管アンプ装置において、ハウジングを球体にすることにより、複数の真空管の輻射熱を同一の真空管、または他方の真空管へと伝導させることを特徴とする真空管アンプ装置。
【請求項４】
請求項１ないし３のいずれかに記載の真空管アンプ装置において、上部球体のハウジング内に熱放出の多い部品を配置し、下部四角いハウジング内には熱放出の少ない部品を配置することを特徴とする真空管アンプ装置。
【請求項５】
請求項１ないし４のいずれかに記載の真空管アンプ装置において、球体のハウジングは、過大な熱の吸収を抑えるために絶妙な大きさの円形の開口部を有することを特徴とする真空管アンプ装置。
【請求項６】
請求項１ないし５のいずれかに記載の真空管アンプ装置において、球体のハウジング内にある真空管の配置を中央より前部に配置することにより、球体のハウジング内においての過大な熱吸収を抑止・低減することを特徴とする真空管アンプ装置。
【発明の詳細な説明】
【技術分野】
【０００１】この発明は真空管（１）が動作し、安定するまでの時間を短縮するための設計技術に関する。（図１）
【背景技術】
【０００２】従来の真空管アンプは特許文献１のように物体で覆われるようなハウジング構造ではなく真空管（１）がむき出しとなっているものであった。そのため、真空管（１）の熱が直接外気へと放出してしまい、真空管アンプが起動するまで時間を要するものであった。（図１）
【先行技術文献】
【特許文献】
【０００３】
【特許文献１】特開２００４−７２３０３公報
【非特許文献】
【０００４】
【非特許文献１】なし
【発明の概要】
【発明が解决しようとする課題】
【０００５】本案は、真空管（１）が動作し安定するまでの起動時間の短縮を可能とすることである。（図１）
【課題を解決するための手段】
【０００６】熱が透過することを防ぐため、硝子やプラスチックなどの透明なハウジングを使用せずに非金属かつ鏡面のハウジングを用いることにより、熱反射を効率よく利用する。また、本発明の真空管アンプ装置は非金属である木製かつ球体のハウジングにすることにより、デザイン性を向上させるものである。
【０００７】従来の真空管アンプ装置のように筐体を四角にするのではなく、球体のハウジング（２）にすることにより真空管（１）から放出する熱の反射を真空管（１）自体に返りやすくする。また、複数の真空管（１）を利用することで、１つの真空管（１）自身だけではなく、４つの真空管の熱放出・反射による相乗効果がある。（図２）
【０００８】真空管アンプ装置において、真空管（１）などの熱放出量が多い部品を球体のハウジング内（２）に配置し、それら以外の部品は下部の四角いハウジング内に配置をすることにより、真空管アンプ装置本体の熱吸収を低減する。（図１）
【０００９】球体ハウジング（２）に対して大きさが約２５％のバランスのとれた、妥当な円形の開口部（３）を有することで、球体のハウジング内（２）での真空管（１）やその他の部品に対しての過大な熱吸収を抑止する。（図１）
【００１０】真空管アンプ装置において、使用している部品の中で、１番の熱源である４つの真空管（１）を開口部（３）のある中央より前部に配置することで、ハウジング内での過度な熱の滞留を低減し、また、真空管アンプ装置の起動時間を短縮する。（図１）
【発明の効果】
【００１１】本発明によれば、真空管アンプ装置のハウジングを非金属・鏡面、かつ、球体のハウジング（２）で設計し、さらに球体のハウジング（２）の一部に円形の開口部（３）を配置する。円形の開口部（３）は真空管（１）から出る輻射熱（４）を外へ放出し過ぎないように大きさを考慮してある。球体のハウジング（２）の設計技術により、真空管（１）から出る輻射熱（４）を利用し、起動時間の短縮をする。
（図１，２）
【図面の簡単な説明】
【００１２】
【図１】真空管アンプの筐体の図面である。
【図２】真空管アンプの筐体における輻射熱の実施例を示す筐体断面図である。
【符号の説明】
【００１３】１  真空管、  ２  球体のハウジング、  ３  円形の開口部、  ４  輻射熱
【図１】
2016208478.tif 000003
【図２】
2016208478.tif 000004
(57)【要約】      （修正有）【課題】磁力により、縦波、横波の揺れを減弱し、通常の安定した状態を維持する構造体を提供する。【解決手段】永久磁石３と４を同極同士で対面させ、永久磁石２と３を異極同士で対面させることを特徴とする。永久磁石４に同極で対面させて、縦波の上下圧力に対応させ、永久磁石３を永久磁石２に異極で対面させ、横波のせん断力にスライドさせて対応し、揺れがなければ、異極同士で、物体を安定的に接着させるようにする。【選択図】図２
2016019459.tif 000002
【特許請求の範囲】
【請求項１】
永久磁石で、同極同士（３）と（４）を、中心軸（６）と外筒（５）で磁気浮上させ、永久磁石の異極同士（２）と（３）で接着させた構造体。
【発明の詳細な説明】
【技術分野】
【０００１】この発明は、重層化した永久磁石に取り付けた中心軸を、永久磁石を取り付けた外筒に挿入したもので、縦波、横波に対する永久磁石の応用に関するものである。
【背景技術】
【０００２】従来、縦波、横波の揺れに関しては、積層ゴムやダンバーが用いられているが、永久磁石を利用したものは見られなかった。
【先行技術文献】
【特許文献】
【０００３】
【特許文献１】
【発明の概要】
【発明が解決しようとする課題】
【０００４】これ等には、次の様な欠点があった。
（イ）  可なり大がかりな装置が必要であった。
（ロ）  横波に対しては、物体が傾いてしまう。
本発明は、以上の欠点をなくす為に行われたものである。
【課題を解決するための手段】
【０００５】外筒（５）を取り付けた永久磁石（４）を、永久磁石（４）に同極で対面させて、縦波の上下の圧力に対応させ、永久磁石（３）に中心軸（６）を取り付け、永久磁石（２）に異極で対面させ、横波のせん断力にスライドさせて対応し、揺れがなければ、永久磁石（２）と（３）の異極同士で、物体を安定的に接着させるように、中心軸（６）を外筒（５）に挿入したもので、簡単な装置で以上の欠点をなくす為に行われたものである。
【発明の効果】
【０００６】（イ）  磁石の同極同士で磁気浮上させ、縦波の上下の圧力を減弱させる。
（ロ）  磁石の異極同士で接着力により、横波のせん断力をスライドさせて現弱させる。
（ハ）  揺れがなければ、磁石の異極同士で硬く接着させる。
【図面の簡単な説明】
【０００７】
【図１】本発明の正面図である。
【図２】本発明の斜視図である。
【本発明を実施するための形態】
【０００８】以下、本発明を実施する為の形態について説明する。
円筒状の外筒（５）を取り付けたド−ナツ状の永久磁石（４）に、円筒状の中心軸を取り付けた円板状の永久磁石（３）を、対面が同極同士になるように設置し、永久磁石（３）には、円盤状の永久磁石（２）を異極同士で接着させ、その上に土台（１）を置く。
【符号の説明】
【０００９】１    土台
２    永久磁石（円盤状）
３    永久磁石（円盤状）
４    永久磁石（ド−ナツ状）
５    外筒
６    中心軸
【図１】
2016019459.tif 000003
【図２】
2016019459.tif 000004
(57)【要約】【課題】        風呂蓋を収納する際に、場所を特定せず、浴室壁面に傷や跡形を付けることなく、吊り下げて収納する風呂蓋吊具を提供する。【解決手段】  本発明の風呂蓋吊具１は、風呂蓋２を吊り下げて収納する吊り下げ部１１を有した風呂蓋吊具１であって、先端が上方に曲りのある底受け部１２と、風呂蓋２の外径より大きな内径を有する挿通してなる支え部１３を備えている。【選択図】    図３
2016019630.tif 000002
【特許請求の範囲】
【請求項１】
風呂蓋を吊り下げて収納する吊り下げ部を有した風呂蓋吊具であって、
前記風呂蓋吊具は、先端が上方に曲りのある底受け部と、
風呂蓋の外径より大きな内径を有する挿通してなる支え部と、
を備えたことを特徴とする風呂蓋吊具。
【請求項２】
前記支え部は、内径を調節できることを特徴とする請求項１に記載の風呂蓋吊具。
【請求項３】
前記底受け部または支え部の少なくとも一方が、吊り下げ部に対し、
複数備えたことを特徴とする請求項１または２のいずれかに記載の風呂蓋吊具。
【発明の詳細な説明】
【技術分野】
【０００１】
本発明は、風呂蓋を吊り下げて収納する風呂蓋吊具に関する。
【背景技術】
【０００２】
従来、風呂蓋収納具の設置方法は、浴室の壁に取り付けるハンガーや、風呂蓋が立て掛けられる壁面に係止具を取り付けるものがある。
【先行技術文献】
【特許文献】
【０００３】
【特許文献１】特開２０００−０８３８４８号公報
【特許文献２】実願２００９−００２４４９号公報
【発明の概要】
【発明が解決しようとする課題】
【０００４】
風呂蓋収納具を設置するにあたり、まず場所を特定する必要がある。
【０００５】
また、風呂蓋収納具を取り付ける際に、浴室壁面に傷や跡形が付くという問題がある。
【０００６】
本発明は、このような問題を解決するためになされたものであり、本発明の目的は、風呂蓋を収納する際に、場所を特定せず、浴室壁面に傷や跡形を付けることなく、吊り下げて収納する風呂蓋吊具を提供することにある。
【課題を解決するための手段】
【０００７】
本発明の風呂蓋吊具は、前記目的を達成するために、風呂蓋を吊り下げて収納する吊り下げ部を有した風呂蓋吊具であって、前記風呂蓋吊具は、先端が上方に曲りのある底受け部と、風呂蓋の外径より大きな内径を有する挿通してなる支え部と、を備えたことを特徴とする。
【０００８】
また、前記支え部は、内径を調節できてもよい。
【０００９】
また、前記底受け部または支え部の少なくとも一方が、吊り下げ部に対し、複数備えていてもよい。
【発明の効果】
【００１０】
本発明の風呂蓋吊具によると、風呂蓋を吊り下げるだけで収納できるので、場所を特定する必要がなくなる。
【００１１】
また、浴室壁面に傷や跡形を付けることがないので、原状回復の必要な住宅の浴室で容易に使用できる。
【図面の簡単な説明】
【００１２】
【図１】本発明の一実施形態を示した風呂蓋吊具の斜視図である。
【図２】同上の風呂蓋吊具の側面図である。
【図３】同上の風呂蓋吊具に風呂蓋を収納した状態を示す斜視図である。
【図４】本発明の別な実施形態を示した風呂蓋吊具の斜視図である
【発明を実施するための形態】
【００１３】
以下、本発明を実施するための形態について、図面を参照しながら説明する。なお、以下においては、浴室内のパイプに風呂蓋を吊り下げる場合を例にとって説明するが、これに限定されるものではない。
【００１４】
図１は、本発明の一実施形態である風呂蓋吊具の斜視図であり、図２は側面図、図３は風呂蓋を収納した状態を示す斜視図である。
【００１５】
本発明の風呂蓋吊具１は、風呂蓋２を吊り下げて収納する吊り下げ部１１を有した風呂蓋吊具１であって、先端が上方に曲りのある底受け部１２と、風呂蓋２の外径より大きな内径を有する挿通してなる支え部１３を備えている。
【００１６】
吊り下げ部１１は、パイプ３に掛着する図３に示す鉤形に限定されず、例えば、図４に示した挟着する吊り下げ部１１１であってもよい。また、吊り下げ部１１は、その吊り下げる向きを、風呂蓋２の収納に支障のないよう回動させてもよい。
【００１７】
底受け部１２は、風呂蓋２を載置するところであり、先端を上方に曲りをつけることにより、風呂蓋２と係合させ、ずれも防止する。底受け部１２と、吊り下げ部１１との接合は、風呂蓋２の荷重に耐え得る強度を勘案し、図１に示す鎖状でもよいし、棒状でもよく、また、平板状でもよく、意匠に応じて形成すればよい。
【００１８】
また、底受け部１２は、図４に示した底受け部１１２のように複数備えることで、より風呂蓋２と係合され、ずれも防止できる。吊り下げ部１１１との接合形状は、前記のほかに一体形成でもよい。
【００１９】
支え部１３は、風呂蓋２の傾きを抑え、支えるところであり、風呂蓋２の外径より大きな内径を有する挿通か所で、その機能を成す。形状は、風呂蓋２の挿通が、簡単に行えるよう形成するのが好ましい。このとき、風呂蓋２の外径と支え部１３の内径は、その値が近いほど風呂蓋２は、垂直に近い状態となり、値が離れるほど傾きは増すが、挿通は簡単になる。支え部１３は、吊り下げ部１１と、脱着ができてもよいし、軸着させてもよい。
【００２０】
また、支え部１３は、図４に示した支え部１１３のように、内径を調節できることで、風呂蓋の傾きや挿通のし易さを好みで選択できる。また、吊り下げ部１１１と一体形成でもよいし、支え部を複数備えることで、意匠に自由度が広がる。
【００２１】
上述したように本発明の風呂蓋吊具１は、吊り下げ部１１、底受け部１２、支え部１３を各々の部位とすることにより、小さくまとめ輸送費の軽減を図ることもでき、一体形成することにより、製造費の軽減を図ることもできる。
【符号の説明】
【００２２】
１        本発明の風呂蓋吊具
２        風呂蓋
３        パイプ
１１      吊り下げ部
１２      底受け部
１３      支え部
１１１    吊り下げ部
１１２    底受け部
１１３    支え部
【図１】
2016019630.tif 000003
【図２】
2016019630.tif 000004
【図３】
2016019630.tif 000005
【図４】
2016019630.tif 000006
(57)【要約】【課題】輪ゴムを収容し、従来の１本だけの取り外しに限らず必要に応じて任意の単〜複数本の輪ゴムだけを一度に取り外すことができる輪ゴム掛具を提供する。【解決手段】輪ゴム６を掛けて収容するフック部２およびフック部を覆う輪ゴムの耐候や埃対策のためのハウジング部１からなる本体と、フック部前面に取り付ける脱着が可能な止板部３とで構成し、止板部３の脱着により輪ゴムをまとめてホルダ内に収容および拘束し、止板部3下端の突出部３ｅまで引き延ばした輪ゴムのみをホルダの外へ取り出すことができる輪ゴムホルダ。【選択図】図１
2016019581.tif 000002
【特許請求の範囲】
【請求項１】
輪ゴムを掛けて収容するフック部およびフック部を覆うハウジング部からなる本体と、フック部前面に脱着が可能な止板部とで構成する輪ゴムホルダ。
【発明の詳細な説明】
【技術分野】
【０００１】
本発明は、輪ゴムの収容保持および取り外しを目的とする輪ゴム掛具類に関する。
【背景技術】
【０００２】
輪ゴムの収容保持および取り外しを目的とする輪ゴム掛具類に係る特許文献１〜特許文献５に示す先行技術は、何れも取り外しの際に機構の一部分を狭窄して形成した空間内に輪ゴムを通過させて取り外す構造を成している。これは、任意の輪ゴムを引き伸ばし、自然な状態での断面幅よりも輪ゴムを細くして、企図して狭く形成した空間を通過せしめる本数を１本に制限するもので、特許文献１〜特許文献５に示す何れもが取り外す輪ゴムは１本のみに限り、それ以外の他の輪ゴムを掛具内に拘束しておくことを特徴としている。
【先行技術文献】
【特許文献】
【０００３】
【特許文献１】実開平０２−０７９８６５号公報
【特許文献２】実開平０６−０８５６０１号公報
【特許文献３】実開平０１−１２６１７８号公報
【特許文献４】実登３１３０８３５号公報
【特許文献５】実登３１５６１０４号公報
【発明の概要】
【発明が解決しようとする課題】
【０００４】
輪ゴムを収容保持し、必要に応じて任意の単〜複数本の輪ゴムだけを一度に取り外し、それ以外の輪ゴムを掛具内に拘束しておくことができる輪ゴム掛具を提供する。
【課題を解決するための手段】
【０００５】
輪ゴムを掛けて収容するフック部およびフック部を覆うハウジング部からなる本体と、輪ゴムをホルダ内に保持するためのフック部前面に取り付ける脱着が可能な止板部とにより構成する輪ゴムホルダ。
【発明の効果】
【０００６】
これまでに発明考案されている輪ゴムを収容および取り外しすることを目的とする掛具類は１本単位での取り外しを特徴としているが、本発明の輪ゴムホルダは、１本のみの取り外しに限らず、ハウジング部と止板部の間の間隙を通過できる太さにまとまった輪ゴムの本数以内であれば必要本数だけを一度に取り外し、それ以外の輪ゴムをホルダ内に拘束しておくことができる。
【図面の簡単な説明】
【０００７】
【図１】本発明の輪ゴム収容の状態を示す前面から斜視図である。
【図２】本発明の正面図である。
【図３】本発明の止板部の脱着形態を示す下面からの斜視図である。
【図４】本発明の止板部の脱着形態を示す背面からの斜視図である。
【図５】本発明の止板部と輪ゴムの形状を示す断面図である。
【図６】本発明の輪ゴム取り外しの状態を示す図である。
【発明を実施するための形態】
【０００８】
本発明の輪ゴムホルダは、図５の輪ゴムを掛けて収容するフック部２およびフック部を覆う輪ゴムの耐候または埃対策を目的としたハウジング部１らなる本体と、輪ゴムをホルダ内に拘束するためのフック部前面に取り付ける脱着が可能な止板部３とにより構成する。以下、本発明の実施の形態を説明する。
【０００９】
フック部２の形状を角張りのない楕円形に成形することで輪ゴムをスムーズに収容することができる。
【００１０】
図３に示すように半円状のハウジング部１前面の外縁から円中心の方向へ庇を形成する。図２のハウジング部１の庇と、止板部３の突出部３ｅより上部の円外形に沿って設けた空間は取り外し時の輪ゴムの経路であり、この経路の間隙を通過できる太さにまとまった輪ゴムの本数以内であれば任意の本数だけを一度に取り外すことが可能である。
【００１１】
図３および図４において、フック部２先端からフック部２奥行の中央までに凹部２ｈを形成し、一方、止板部３には前記凹部２ｈに僅かに遊動嵌合する凸部４を形成し、凹部２ｈと凸部４の嵌め外しにより止板部３の脱着を可能にする。これにより、止板部３を取り外した状態にすれば多くの輪ゴムを一度に収容することが可能となる。また止板部３の左右方向の回転を防いで常に同じ装着姿勢を維持するため、凹部２ｈおよび凸部４の断面において上部のみを円形に形成する。
【００１２】
図４に示すようにホルダ背面にはマグネット５を埋設あるいは吸盤といった壁面への固定具を設置する。
【００１３】
図５に示す止板部３上部の円形状の直径を、フック部２に収容する緊張力を加えない自然な状態の輪ゴム６ｆの直径よりも大きく形成し、かつ止板部３下端の左右には突出部３ｅを形成する。この突出部３ｅの左右何れかの先端よりもフック部に吊り下げている輪ゴム６ｓの一端を指先で抓んで大きく引き伸ばし、止板部の外側へ引き出すことでホルダから輪ゴムを取り外すことができる。一方、上記動作において抓んでいない輪ゴム６ｆは突出部３ｅを超えることはないのでそのままホルダ内に拘束しておくことができる。
【００１４】
図６は、本発明の輪ゴムホルダから輪ゴムを取り外している様子を示している。任意の輪ゴムを抓んで引き伸ばし（１）、止板部の突出部３ｅ１より抓んだ輪ゴムの一部を外側へ引き出し（２）、ハウジング部１と止板部３の間の経路である空間に沿って反対側の突出部３ｅ２まで移動させ（３）、ホルダの外へ輪ゴムを取り外す（４）。
【符号の説明】
【００１５】
１        ハウジング部
２        フック部
２ｈ      フック部止板脱着成形凹部
３        止板部
３ｅ      止板突出部（３柄１：左側／３柄２：右側）
４        止板部脱着成形凸部
５        固定具マグネット
６        輪ゴム（６ｆ：自然状態／６ｓ：緊張状態）
【図１】
2016019581.tif 000003
【図２】
2016019581.tif 000004
【図３】
2016019581.tif 000005
【図４】
2016019581.tif 000006
【図５】
2016019581.tif 000007
【図６】
2016019581.tif 000008
(57)【要約】【課題】  一般に杖の使用は身体事情によるもので、従って歩行外にも配慮し、屈み腰や背伸び、踏み台などに代行が得られる装備付き杖を提供する。【課題を解決する為の手段】2016019715.tif 000008対応させる。【選択図】図１
2016019715.tif 000002
【特許請求の範囲】
【請求項１】
2016019715.tif 000007
付きで杖管に装着され、ロットは、尾部をリングに継ぎ替えて側部に取り出し、トング操作に充てたことを特徴とする、トング付き杖。
【発明の詳細な説明】
【技術分野】
【０００１】  本発明は、歩行支援用杖に関するものである。
【背景技術】
【０００２】  従来より杖は、歩行上の安全性、使用に係る装備が多々あったが、用途を歩行外に充てた装備は無かった。
【先行技術文献】
【０００３】
【特許文献１】  特開２００８−３０２００６号
【発明の概要】
【発明が解決しようとする課題】
【０００４】  一般に杖の使用は身体事情によるもので、従って歩行外にも配慮し、
2016019715.tif 000003
提供する。
【課題を解決する為の手段】
【０００５】
2016019715.tif 000004
用途に対応させる。
【発明の効果】
【０００６】
2016019715.tif 000005
踏み台などに代行がなる等、杖に備わる福祉性を有効に利用することができる。
【図面の簡単な説明】
【０００７】
【図１】トングの展開状態を示した断面図。
【図２】トングの収納状態を示した断面図。
【図３】トングの操作部を示した側面図。
【発明を実施する為の形態】
【０００８】
2016019715.tif 000006
杖の主体内に装着され、ロット（５）は、尾部をリング（３）に継ぎ替えて側部に取り出し、トング（２）の操作に充てる。が、通常はフック（７）に係止してトング（２）を管内に収納する。
【符号の説明】
【０００９】１．杖本体
２．トング
３．リング
４．スプリング
５．ロット
６．キャップ
７．フック
【図１】
2016019715.tif 000009
【図２】
2016019715.tif 000010
【図３】
2016019715.tif 000011
(57)【要約】      （修正有）【課題】長時間でも安楽なパチンコ遊戯を可能とするための、パチンコ垂直取り付け型ハンドル具を提供する。【解決手段】従来のパチンコ遊戯用ハンドル（水平設置型）を、垂直設置型（スタンドタイプ）へ変更する。【選択図】図１
2016019713.tif 000002
【特許請求の範囲】
【請求項１】
パチンコ遊戯台の遊戯用ハンドル本体を垂直状態（スタンドタイプ）に設置し、遊戯用ハンドル回転部を設け、遊戯用ハンドル回転部に親指フック部を設ける。遊戯中の玉を打ち出す際のハンドル回転部を保持した状態で手関節が適切な位置（正中位）となるよう工夫したパチンコ遊戯用水平タイプハンドル具。
【発明の詳細な説明】
【技術分野】
【０００１】    本発明は、パチンコ遊技時の遊技台用ハンドルに関するものである。
【背景技術】
【０００２】    従来、パチンコ遊戯の際には、遊技台に取り付けてあるハンドルを回して遊戯を行っていた。
全てのパチンコ台は、遊技台に水平に取り付けてあるハンドルを、時計方向に回し、パチンコ玉をはじき出して遊戯を行うものである。
【先行技術文献】
【特許文献】
【０００３】
【氏名】
永野秀一郎
【特許文献１】
【発明の概要】
【発明が解決しようとする課題】
【０００４】    従来の遊技台に取り付けてある水平タイプのハンドルを遊戯のために時計方向に回すと、手関節（手首の関節）が背屈（手の甲側に曲がり）、尺屈（小指側への曲がり）したままになり、長時間の遊戯になると、手関節に痛みや、痺れを生じる原因となっている。
本発明は、上記の長時間遊戯による痛みや痺れを防止し、安楽なパチンコ遊戯を楽しむための問題点を解決するために工夫されたものである。
【課題を解決するための手段】
【０００５】    従来のパチンコ台に見られる、水平タイプのハンドルを垂直タイプへと変更し、手関節（手首の関節）の背屈（手の甲側への曲がり）、尺屈（小指側への曲がり）をなくし、痛みや痺れを防止し、長時間の遊戯を可能とする。
以上の工夫によるパチンコ遊戯台用垂直タイプ（スタンドタイプ）のハンドルである。
【発明の効果】
【０００６】    従来型の水平タイプのハンドル使用による、長時間遊戯のための手関節の痛みや痺れを防止しより安楽な長時間遊戯を可能とする。
本発明は、より安楽な長時間のパチンコ遊戯のみならず、日常生活における手関節への負担を軽減し、手根管症候群等の身体の整形外科疾患の予防としても有効である。
【図面の簡単な説明】
【０００７】
【図１】本発明の斜視図
【図２】本発明（ハンドル）を上から見た図
【発明を実施するための形態】
【０００８】  以下、本発明の実施の形態を説明する。
（イ）従来の水平タイプのパチンコハンドル本体（１）を、垂直状態に取り付ける。
（ロ）垂直タイプのハンドル本体（１）には、ハンドル回転部（２）を設ける。
（ハ）ハンドル回転部（２）に、親指をかけるためのサムフック（３）を設ける。
（ニ）垂直タイプのハンドル（１）に、上部から手を被せるようにして把持する。サムフ      ック（３）に親指をかける。
（ホ）その状態を保持したまま、ハンドルを時計回りに回し遊戯する。
本発明は以上のような構造である。
本発明を使用するときは、ハンドル本体（１）に手を被せ置き、サムフック（３）に親指をかけて把持し、時計まわり方向へハンドル回転部（２）を回し保持した状態で遊戯する。このとき、手関節への負担をより軽減するために、ハンドルを回し、適切な目的ポイントへ玉を打ち出す位置にハンドルが来たところが、手関節（手首）の正中位（自然な手首の状態）となるようあらかじめサムフック形状を取り付けておく。玉の打ち出しポイントの微調整は親指でコントロールすることで、手関節への負担はより軽減する。
遊戯中の玉を打ち出すポイント位置が常に正中位（自然な手首の状態）となるため、手首に負担がかからず、安楽な状態で長時間の遊戯が可能となる。
【符号の説明】
【０００９】  ※  発明製品の各部の名称を番号ごとに表示する。
１垂直ハンドル本体、２ハンドル回転部、３、サムフック
４ハンドル本体取付け用基台、５フィンガーフック
注  サムフック（Ｔｈｕｍｂ  Ｆｕｃｋ）＝  親指かけ
【図１】
2016019713.tif 000003
【図２】
2016019713.tif 000004
(57)【要約】      （修正有）【課題】トイレットペーパーの切れ端を簡単に均一化した三角形に折ることができる型を提供する。【解決手段】トイレットペーパー４をたるませて裏返し、トイレットペーパーの切れ端５をトイレットペーパーホルダーのフタ７にのせ、トイレットペーパーの切れ端５の上に型１を載せ、型の左右の合わせ目３にトイレットペーパー４の幅を合わせ、トイレットペーパーの切れ端５を板の左右の三角の辺２に沿って、トイレットペーパーの切れ端５の左右を折り、次に、型１をはずしトイレットペーパー４をトイレットペーパーホルダーのフタ７からおろして表に巻き戻す。【選択図】図４
2016019711.tif 000002
【特許請求の範囲】
【請求項１】
トイレットペーパーの切れ端に三角折の折り目をつけ三角に折る型
【発明の詳細な説明】
【技術分野】
【０００１】この発明はトイレットペーパーに関するものである。
【背景技術】
【０００２】トイレの使用後・清掃後などにトイレットペーパーの切れ端を三角に折る風潮・慣例があるが、従来は手で適当に折っている。
【発明の概要】
【発明が解決しようとする課題】
【０００３】トイレットペーパーの切れ端を手で適当に三角に折ると折り目がわからないので、折りにくく、折った三角がいびつでまばらでになり均一化しない。
【解決手段】
【０００４】三角の角度・寸法を固定化した型でトイレットペーパーの切れ端を板の三角の辺にそって折る。
【発明の効果】
【０００５】トイレットペーパーの切れ端を簡単に均一化した三角に折ることができる。
【図面の簡単な説明】
【０００６】
【図１】本発明の正面図
【図２】トイレットペーパーとトイレットペーパーホルダーを示したの正面図
【図３】トイレットペーの幅に本発明の合わせ目を合せた状態を示した正面図
【図４】トイレットペーパーの切れ端左を折った状態を示した正面図
【図５】トイレットペーパーの切れ端右を折った状態を示した正面図
【図６】トイレットペーパーの切れ端が三角になり、巻き戻した状態を示した正面図
【発明を実施するための形態】
【０００７】この発明の形態を図面を参照し説明する。
【実施例】
【０００８】トイレットペーパー４をたるませて裏返し、トイレットペーパーの切れ端をトイレットペーパーホルダーのフタ７にのせ、その上に本発明１をのせ、本発明の左右の合わせ目３にトイレットペーパー４の幅を合わせる。（図３参照）【０００９】トイレットペーパーの切れ端５左側を本発明の折り目にする辺２左側にそって折る。（図４参照）【００１０】トイレットペーパーの切れ端５右側を本発明の折り目にする辺２右側にそって折る。（図５参照）【００１１】トイレットペーパーの切れ端５が三角折り８になるので本発明１をはずしトイレットペーパー４をトイレットペーパーのフタ７からおろして表に戻し巻き戻す。（図６参照）
【符号の説明】
【０００９】１  本発明
２  本発明の折り目にする辺
３  本発明の合わせ目
４  トイレットペーパー
５  トイレットペーパーの切れ端
６  トイレットペーパーホルダー
７  トイレットペーパーホルダーのフタ
８  三角折り
【図１】
2016019711.tif 000003
【図２】
2016019711.tif 000004
【図３】
2016019711.tif 000005
【図４】
2016019711.tif 000006
【図５】
2016019711.tif 000007
【図６】
2016019711.tif 000008
(57)【要約】【課題】  靴の収納部分を折りたたむことによって省スペース化と持ち運びを簡単にする折りたたみできる簡易靴置きを提供する。【解決手段】  ２）靴置き部分と３）固定部分は通常１）本体に収納されており、４）持ち手部分を使用することで持ち運びを容易にしている。  本発明は、以上のような構造である。本発明を使用するときは、１）本体より２）靴置き部分を取り出し、３）固定部分で位置を固定することを特徴としている。【選択図】図１
2016019710.tif 000002
【特許請求の範囲】
【請求項１】
２）靴置き部分と３）固定部分は通常１）本体に収納されており、４）持ち手部分を使用することで持ち運びを容易にしている。
本発明は、以上のような構造である。
本発明を使用するときは、１）本体より２）靴置き部分を取り出し、３）固定部分で位置を固定することができることを特徴とする折りたたみできる簡易靴置きである。
【発明の詳細な説明】
【技術分野】
【０００１】  この発明は靴の収納部分を折りたたむことによって省スペース化と持ち運びを簡単にする折りたたみできる簡易靴置きに関するものである。
【背景技術】
【０００２】  従来、靴置きは折りたたみできず、据え置き型となっており、場所を取る欠点があった。
【先行技術文献】
【特許文献】
【０００３】
【特許文献１】特開２００８−９３２５５号公報
【発明の概要】
【発明が解決しようとする課題】
【０００４】  これは、つぎのような欠点があった。
従来の靴置きは折りたたむことができず、据え置きであった為、場所を取り、移動させることが容易ではなかった。本発明は、以上のような欠点をなくすためになされたものである。
【課題を解決するための手段】
【０００５】  靴を収納する部分を折りたたみできるようにするとともに、上部に持ち手を付けることで持ち運びを容易にした靴置きである。本発明は、以上の構成よりなる折りたたみできる簡易靴置きである。
【発明の効果】
【０００６】  靴を収納する部分が折りたたみできることで、使用しない時には省スペース化を可能とし、また靴置きの上部に持ち手を設けることで持ち運びを容易にする事、収納が容易かつ、自分の好きな場所に靴置きを設置することが出来る。
【図面の簡単な説明】
【０００７】
【図１】  本発明を使用状態の平面図である。
【発明を実施するための形態】
【０００８】  以下、本発明を実施するための形態について説明する。
２）靴置き部分と３）固定部分は通常１）本体に収納されており、４）持ち手部分を使用することで持ち運びを容易にしている。
本発明は、以上のような構造である。
本発明を使用するときは、１）本体より２）靴置き部分を取り出し、３）固定部分で位置を固定することができる。
【符号の説明】
【０００９】１  本体
２  靴置き部分
３  固定部分
４  持ち手
【図１】
2016019710.tif 000003